(57)【要約】      （修正有）【課題】地上式消火栓又は地下式消火栓の点検時に大量の水を使用することなく各消火栓を点検することができ、また、取扱性、操作性及び安全性に優れていると共に、漏水事故等を防止できる点検装置を提供する。【解決手段】点検装置は、地上式消火栓Ａ又は地下式消火栓に接続され、流量調整できる接続金具１と、接続金具に接続された止水バルブ３と、止水バルブに接続されたホース４と、ホースに接続された開閉機能付きノズル５とを備える。接続金具と止水バルブとの間に圧力計２を介設しているのが好ましい。また、接続金具は、下流側の口径が上流側の口径よりも小さい媒介金具から成り、ホースは、媒介金具の下流側の口径と同じサイズで且つ長さが数ｍの保形ホース又は筒状に形成されたホースから成るのが好ましい。【選択図】図３
0003190251.tif 000002
【実用新案登録請求の範囲】
【請求項１】
地上に突設した地上式消火栓（Ａ）又は地面に埋設した地下式消火栓（Ｂ）を点検する点検装置であって、前記点検装置は、地上式消火栓（Ａ）又は地下式消火栓（Ｂ）に接続され、流量調整できる接続金具（１）と、接続金具（１）に接続された止水バルブ（３）と、止水バルブ（３）に接続されたホース（４）と、ホース（４）に接続された開閉機能付きノズル（５）とを備えていることを特徴とする地上式消火栓又は地下式消火栓の点検装置。
【請求項２】
接続金具（１）と止水バルブ（３）との間の圧力計（２）を介設したことを特徴とする請求項１に記載の地上式消火栓又は地下式消火栓の点検装置。
【請求項３】
接続金具（１）は、下流側の口径が上流側の口径よりも小さい媒介金具から成り、また、ホース（４）は、媒介金具の下流側の口径と同じサイズで且つ長さが数ｍの保形ホース又は筒状に形成されたホースから成ることを特徴とする請求項１又は請求項２に記載の地上式消火栓又は地下式消火栓の点検装置。
【請求項４】
接続金具（１）は、上流側の口径と下流側の口径が同じで且つ内部に水の流通抵抗を増すリング状のオリフィスを内蔵した接続金具から成り、また、ホース（４）は、接続金具と同じ口径のサイズで且つ長さが数ｍの筒状に形成されたホースから成ることを特徴とする請求項１又は請求項２に記載の地上式消火栓又は地下式消火栓の点検装置。
【請求項５】
接続金具（１）と止水バルブ（３）、止水バルブ（３）とホース（４）、ホース（４）と開閉機能付きノズル（５）をそれぞれネジ式継ぎ手で着脱自在に接続したことを特徴とする請求項１に記載の地上式消火栓又は地下式消火栓の点検装置。
【請求項６】
接続金具（１）と圧力計（２）、圧力計（２）と止水バルブ（３）、止水バルブ（３）とホース（４）、ホース（４）と開閉機能付きノズル（５）をそれぞれネジ式継ぎ手で着脱自在に接続したことを特徴とする請求項２に記載の地上式消火栓又は地下式消火栓の点検装置。
【考案の詳細な説明】
【技術分野】
【０００１】
本考案は、屋外に設置されて火災発生時や消防訓練時に使用される地上式消火栓又は地下式消火栓を点検する際に用いるものであり、地上式消火栓又は地下式消火栓の点検時に大量の水を使用することなく各消火栓を点検することができ、また、取扱性、操作性及び安全性に優れていると共に、漏水事故等を防止できるようにした地上式消火栓又は地下式消火栓の点検装置に関するものである。
【背景技術】
【０００２】
一般に、建物の周囲には、火災発生時に消火活動に使用される屋外消火栓が設置されている。この屋外消火栓には、大別して地上に突設した地上式消火栓と、地面に埋設した地下式消火栓とがある（特許文献１、特許文献２、特許文献３、特許文献４及び特許文献５参照）。
【０００３】
前記地上式消火栓Ａは、図５に示す如く、下端部が地面に埋設されていると共に、上端部が地上に突設しており、上水道本管６に分岐管７を介して接続されている。
【０００４】
この地上式消火栓Ａにおいては、火災発生時に消防用ホース２２の基端部に設けた差込み式の結合金具２２ａを地上式消火栓Ａの放水口を形成する差し金具１１に接続し、消防用ホース２２を引き伸ばした後、地上式消火栓Ａを開放操作して消防用ホース２２の先端部に接続したノズルから放水することによって、消火活動を行えるようになっている。
【０００５】
尚、図５において、９は消火栓本体、１０は消火栓弁開閉ハンドル用差し金具、１２は放水口保護キャップ、１３は直管、１４は弁箱、１５は乙管である。
【０００６】
一方、前記地下式消火栓Ｂは、図６に示す如く、地面に形成したピット内に配設されており、上水道本管６に分岐管７を介して接続されている。
【０００７】
この地下式消火栓Ｂにおいては、火災発生時に消防用ホース２２の基端部に設けた差込み式の結合金具２２ａを地下式消火栓Ｂの放水口を形成する差し金具１９に直接接続するか、或いは、図６に示すように地下式消火栓Ｂの差し金具１９に起立状態で接続したスタンドパイプ８の放水口を形成する差し金具８ａに接続し、消防用ホース２２を引き伸ばした後、地下式消火栓Ｂを開放操作して消防用ホース２２の先端部に接続したノズルから放水することによって、消火活動を行えるようになっている。
【０００８】
尚、図６において、８ｂはスタンドパイプ８の受け金具、８ｃはスタンドパイプ８の導管、８ｄはスタンドパイプ８のＬ型管、１５は乙管、１６は弁箱、１７はパッキン箱、１８は継足し管、２０は弁棒、２１は消火栓弁開閉ハンドル用差し金具である。
【０００９】
ところで、前記地上式消火栓Ａ及び地下式消火栓Ｂは、何れも設置した後、長期間放置した場合、弁体に設けたパッキン類の劣化や固着による開閉操作の不具合、放水時の水漏れや弁体閉止の不具合が発生し、緊急時に本来の性能を発揮できないと云う問題が発生する。
【００１０】
そこで、地上式消火栓Ａ及び地下式消火栓Ｂにおいては、ホース２２を用いて定期的に点検を行っている。
即ち、地上式消火栓Ａの放水口を形成する差し金具１１又は地下式消火栓Ｂに接続したスタンドパイプ８の放水口を形成する差し金具８ａにホース２２の基端部に設けた差込み式の結合金具２２ａを接続すると共に、ホース２２を排水場所まで引き伸ばし、この状態で各消火栓Ａ，Ｂを開放操作してホース２２を通して水を流すことによって、点検を行っている。
【００１１】
しかし、地上式消火栓Ａ及び地下式消火栓Ｂにおいては、放水口の口径が通常６５Ａと大口径になっているうえ、殆どの場合水源が上水道となっているので、点検時に各消火栓Ａ，Ｂを全開して大量の水を流してしまうと、上水道本管６に急激な水流が発生し、上水道本管６内の錆や堆積物が流れ出し、飲料水を汚濁してしまうことになり、近隣住民から苦情が寄せられると云う問題があった。
また、点検時に使用する大量の水の排水場所を確保する必要があった。
【００１２】
尚、上述した問題を解決するため、各消火栓Ａ，Ｂの点検時に大量の水を流さないように、各消火栓Ａ，Ｂを少しだけ開放して点検する方法もある。
しかし、この場合には、緊急時に各消火栓Ａ，Ｂを全開して使用することができるかどうか確認することができず、弁体を引き上げるネジ部への異物の噛み込みを確認できなかったり、或いは、弁体を引き上げる弁棒の汚れや異物の付着による摩擦抵抗等を確認できないことになる。
【００１３】
また、各消火栓Ａ，Ｂの点検時に各消火栓Ａ，Ｂへ接続するホース２２には、口径が各消火栓Ａ，Ｂの放水口と同じ６５Ａで且つ長さが２０ｍの折り畳み自在な布製の消防用ホース２２を使用しているため、ホース２２を延ばすスペースが必要となり、各消火栓Ａ，Ｂが狭小地に設置されている場合には、道路を横断してホース２２を引き伸ばしたりしなければならないので、人や車の通行障害になったり、或いは、各消火栓Ａ，Ｂを操作する操作者と放水を行う放水者との距離が離れて見通せない事態が発生し、放水開始や放水終了合図がうまく行かず、事故が発生する危険性があった。
しかも、放水者が危険を予知しても、急に放水を停止することができず、安全性において問題があった。
【００１４】
更に、各消火栓Ａ，Ｂの点検後に各消火栓Ａ，Ｂを完全に閉止できない不具合が発生した場合、上水道本管６や分岐管７に設けた止水弁を止める必要があった。
また、断水できない場合には、復旧工事が終わるまで、漏水を放置せざるを得ない事態となった。
【先行技術文献】
【特許文献】
【００１５】
【特許文献１】特開２００７−３１４９５８号公報
【特許文献２】特開２００８−２６７０７５号公報
【特許文献３】特開平８−１３５５２号公報
【特許文献４】特開平１０−４７４９５号公報
【特許文献５】特開２０００−６４３６７号公報
【考案の概要】
【考案が解決しようとする課題】
【００１６】
本考案は、このような問題点に鑑みて為されたものであり、その目的は、地上式消火栓又は地下式消火栓の点検時に大量の水を使用することなく各消火栓を点検することができ、また、取扱性、操作性及び安全性に優れていると共に、漏水事故等を防止できるようにした地上式消火栓又は地下式消火栓の点検装置を提供することにある。
【課題を解決するための手段】
【００１７】
上記目的を達成するために、本考案の請求項１の考案は、地上に突設した地上式消火栓又は地面に埋設した地下式消火栓を点検する点検装置であって、前記点検装置は、地上式消火栓又は地下式消火栓に接続され、流量調整できる接続金具と、接続金具に接続された止水バルブと、止水バルブに接続されたホースと、ホースに接続された開閉機能付きノズルとを備えていることに特徴がある。
【００１８】
本考案の請求項２の考案は、請求項１に記載の考案において、接続金具と止水バルブとの間の圧力計を介設したことに特徴がある。
【００１９】
本考案の請求項３の考案は、請求項１又は請求項２に記載の考案において、接続金具は、下流側の口径が上流側の口径よりも小さい媒介金具から成り、また、ホースは、媒介金具の下流側の口径と同じサイズで且つ長さが数ｍの保形ホース又は筒状に形成されたホースから成ることに特徴がある。
【００２０】
本考案の請求項４の考案は、請求項１又は請求項２に記載の考案において、接続金具は、上流側の口径と下流側の口径が同じで且つ内部に水の流通抵抗を増すリング状のオリフィスを内蔵した接続金具から成り、また、ホースは、接続金具と同じ口径のサイズで且つ長さが数ｍの筒状に形成されたホースから成ることに特徴がある。
【００２１】
本考案の請求項５の考案は、請求項１に記載の考案において、接続金具と止水バルブ、止水バルブとホース、ホースと開閉機能付きノズルをそれぞれネジ式継ぎ手で着脱自在に接続したことに特徴がある。
【００２２】
本考案の請求項６の考案は、請求項２に記載の考案において、接続金具と圧力計、圧力計と止水バルブ、止水バルブとホース、ホースと開閉機能付きノズルをそれぞれネジ式継ぎ手で着脱自在に接続したことに特徴がある。
【考案の効果】
【００２３】
本考案の点検装置は、地上式消火栓又は地下式消火栓に接続され、流量調整できる接続金具と、接続金具の下流側端部に接続された止水バルブと、止水バルブに接続されたホースと、ホースに接続された開閉機能付きノズルとを備え、前記接続金具に、上流側から下流側へ向って口径がサイズダウンする媒介金具や内部に水の流通抵抗を増すリング状のオリフィスを内蔵した接続金具を採用しているため、各消火栓を全開して点検しても、大量の水が流れると云うことがない。
その結果、本考案の点検装置を用いれば、上水道本管に急激な水流が発生して飲料水を汚濁してしまうと云う問題もなく、また、水の排水場所も容易に確保することができる。
【００２４】
本考案の点検装置は、流量調整できる接続金具の他に、止水バルブや開閉機能付きノズルを備えているため、これらを操作することによっても、放水水量を任意に調整することができ、より安心して各消火栓を緊急時に使用する状態で点検可能となり、排水場所もより容易に確保することができる。
【００２５】
本考案の点検装置は、口径が各消火栓の放水口の口径よりも小さくて長さが数ｍの保形ホース又は筒状に形成されたホース、或いは、口径が各消火栓の放水口の口径と同じで長さが数ｍの筒状に形成されたホースを備えているため、折り畳み式の布製の消防用ホースのようにホースを全て延ばさなくても放水することができ、少ないスペースで各消火栓の点検を行うことができる。
【００２６】
本考案の点検装置は、長さが数ｍのホースを採用しているため、各消火栓の操作者と放水者との距離が近く、お互いの意思疎通が容易になって安全に点検を行える。
【００２７】
本考案の点検装置は、開閉機能付きノズルを備えているため、点検時に通行人等の第三者に危険が及ぶ場合や水損の危険性を感じた場合に放水者の意思で即時放水を停止することができ、より安全に点検を行うことができる。
【００２８】
本考案の点検装置は、止水バルブを備えているため、各消火栓の点検終了後に完全に閉止できない不具合が発生しても、止水バルブを操作することによって完全に止水することができ、地域への悪影響が大きく軽減される。しかも、止水バルブとホースは着脱自在と成っているので、ホースをはずすことによって、復旧工事の邪魔になることがない。
【００２９】
本考案の点検装置は、止水バルブの上流側位置に圧力計を設けているため、従来のように各消火栓の送水締め切り圧力を測定する場合に別の圧力測定装置を使用すると云うこともなく、止水バルブを閉止することで各消火栓の送水締め切り圧力を容易に測定することができる。
その結果、点検地域の各消火栓の落差による圧力特性の把握ができ、圧力の高い消火栓の使用については事故防止に前もって注意勧告を行うことが可能となる。
また、止水バルブを閉めることで圧力を掛けた状態で各消火栓の弁体の２次側の漏水点検も可能となり、２次側の止水パッキンの劣化や不具合の早期発見が可能となる。
【００３０】
本考案の点検装置は、点検装置を構成する各構成部品を消防用のネジ式継ぎ手で接続しているため、工具を使用せずに容易に着脱可能となり、持ち運びや保管、部品交換を容易に行える。
【図面の簡単な説明】
【００３１】
【図１】本考案の実施の形態に係る地上式消火栓又は地下式消火栓の点検装置の正面図である。
【図２】点検装置の分解正面図である。
【図３】地上式消火栓の点検状態を示し、地上式消火栓に点検装置を接続した説明図である。
【図４】地下式消火栓の点検状態を示し、地下式消火栓に点検装置を接続した説明図である。
【図５】従来の地上式消火栓の点検状態を示す説明図である。
【図６】従来の地下式消火栓の点検状態を示す説明図である。
【考案を実施するための形態】
【００３２】
以下、本考案の実施の形態を図面に基づいて詳細に説明する。
図１及び図２は本考案の実施の形態に係る地上式消火栓Ａ又は地下式消火栓Ｂの点検装置を示すものであり、当該点検装置は、地上式消火栓Ａ又は地下式消火栓Ｂに接続され、流量調整できる接続金具１と、接続金具１の下流側に接続された圧力計２と、圧力計２に接続された止水バルブ３と、止水バルブ３に接続されたホース４と、ホース４に接続された開閉機能付きノズル５とを備えている。
【００３３】
この点検装置を構成する各構成部品（接続金具１、圧力計２、止水バルブ３、ホース４は開閉機能付きノズル５）は、何れも消防用のネジ式継ぎ手により着脱自在に接続されており、一番上流側に位置する接続金具１は、差込み式継ぎ手により地上式消火栓Ａ又は地下式消火栓Ｂに着脱自在に接続されるようになっている。
【００３４】
前記地上式消火栓Ａは、図３に示す如く、下端部が地面に埋設されていると共に、上端部が地上に突設しており、上水道本管６に分岐管７を介して接続されている。
この地上式消火栓Ａの放水口の口径は、６５Ａに設定されている。
【００３５】
一方、前記地下式消火栓Ｂは、図４に示す如く、地面に形成したピット内に配設されており、上水道本管６に分岐管７を介して接続されている。
この地下式消火栓Ｂには、使用時又は点検時にスタンドパイプ８が起立姿勢で接続される。
また、地下式消火栓Ｂの放水口の口径及びスタンドパイプ８の放水口の口径は、何れも６５Ａに設定されている。
【００３６】
尚、図３において、９は消火栓本体、１０は消火栓弁開閉ハンドル用差し金具、１１は放水口を形成する差し金具、１２は放水口保護キャップ、１３は直管、１４は弁箱、１５は乙管である。
また、図４において、８ａはスタンドパイプ８の放水口を形成する差し金具、８ｂはスタンドパイプ８の受け金具、８ｃはスタンドパイプ８の導管、８ｄはスタンドパイプ８のＬ型管、１５は乙管、１６は弁箱、１７はパッキン箱、１８は継足し管、１９は地下式消火栓Ｂの放水口を形成する差し金具、２０は弁棒、２１は消火栓弁開閉ハンドル用差し金具である。
【００３７】
前記接続金具１は、圧力計２に接続される下流側の口径が地上式消火栓Ａの差し金具１１又は地下式消火栓Ｂに接続したスタンドパイプ８の差し金具８ａに接続される上流側の口径よりも小さい媒介金具から成り、胴部１ａと、胴部１ａの一端部に設けられ、地上式消火栓Ａの差し金具１１やスタンドパイプ８の差し金具８ａに接続される差込み式の受け口１ｂ（雌型の結合金具）と、胴部１ａの他端部に設けられ、圧力計２に接続されるネジ式の差し口１ｃ（雄型の結合金具）とを備えている。
この実施の形態においては、接続金具１には、口径が６５Ａ（受け口１ｂの口径）から２５Ａ（差し口１ｃの口径）にサイズダウンする媒介金具が使用されている。
【００３８】
上記の実施の形態においては、接続金具１に口径が６５Ａから２５Ａにサイズダウンする媒介金具を使用したが、他の実施の形態においては、接続金具１に口径が６５Ａから２５Ａ以外の小口径にサイズダウンする媒介金具（図示省略）を使用しても良く、或いは、接続金具１に、上流側の口径と下流側の口径が各消火栓Ａ，Ｂの放水口の口径と同じで且つ内部に水の流通抵抗を増すリング状の金属製オリフィスや弾性変形する軟性材オリフィスを内蔵した接続金具（図示省略）を使用しても良い。
【００３９】
前記金属性オリフィスは口径の変化がなく一定である。一方、前記軟性材オリフィスは合成ゴムや天然ゴム、又はこれらと同等の性質を有する合成樹脂材により一定の厚さを有するリング状に形成されており、オリフィスに作用する水の一次側と二次側の圧力差によって、圧縮・曲げ変形を生じ、それに伴いオリフィス口径が変化して一次側の圧力変動に関係なく、二次側の流量をほぼ一定に保つようになっている。
【００４０】
前記圧力計２は、胴体２ａと、胴体２ａの一端部に設けられ、接続金具１の差し口１ｃに接続されるネジ式の受け口２ｂ（雌型の結合金具）と、胴体２ａの他端部に設けられ、止水バルブ３に接続されるネジ式の差し口２ｃ（雄型の結合金具）と、胴体２ａに接続されたメータ２ｄとを備えており、受け口２ｂと差し口２ｃの口径がそれぞれ２５Ａに設定されている。
【００４１】
上記の実施の形態においては、胴体２ａの口径が２５Ａの圧力計２を使用したが、圧力計２はこれに限定されるものではなく、接続金具１の下流側の口径に対応したものを使用すれば良い。
【００４２】
前記止水バルブ３は、弁体等を内蔵したボディ３ａと、ボディ３ａの一端部に設けられ、圧力計２の差し口２ｃに接続されるネジ式の受け口３ｂ（雌型の結合金具）と、ボディ３ａに設けられ、ホース４に接続されるネジ式の差し口３ｃ（雄型の結合金具）と、弁体を操作するハンドル３ｄとを備えており、受け口３ｂと差し口３ｃの口径がそれぞれ２５Ａに設定されている。
【００４３】
上記の実施の形態においては、ボディ３ａの口径が２５Ａの止水バルブ３を使用したが、止水バルブ３はこれに限定されるものではなく、圧力計２の胴体２ａの口径に対応したものを使用すれば良い。
【００４４】
前記ホース４は、接続金具１の下流側の口径と同じサイズで且つ長さが数ｍの消防用の保形ホースから成り、保形ホースの一端部には、止水バルブ３の差し口３ｃに接続されるネジ式の受け口４ａ（雌型の結合金具）が設けられ、また、保形ホースの他端部には、開閉機能付きノズル５が接続されるネジ式の差し口４ｂ（雄型の結合金具）が設けられている。
この実施の形態においては、保形ホースには、口径が２５Ａで且つ長さが５ｍの保形ホースが使用されている。
【００４５】
上記の実施の形態においては、口径が２５Ａで且つ長さが５ｍの保形ホースを使用したが、保形ホースはこれに限定されるものではなく、止水バルブ３の口径に対応し、長さも数ｍあれば良い。
【００４６】
また、上記の実施の形態においては、保形ホースに消防用の保形ホースを採用したが、ゴムホースやビニールホースのように形状が筒状のホースを使用しても良い。
【００４７】
前記開閉機能付きノズル５は、ホース４に接続されてホース４内を流れて来た水を任意に止めたり、流したりするものであり、その基端部には、ホース４の差し口４ｂに接続されるネジ式の受け口５ａ（雌型の結合金具）が設けられている。
【００４８】
次に、上述した構成の点検装置を用いて地上式消火栓Ａ又は地下式消火栓Ｂを点検する場合について説明する。
尚、点検装置は、各構成部品を接続した状態で所定の場所へ保管収納されている。
【００４９】
先ず、地上式消火栓Ａの放水口を形成する差し金具１１又は地下式消火栓Ｂに接続したスタンドパイプ８の放水口を形成する差し金具８ａに接続金具１（媒介金具）を接続すると共に、ホース４を排水場所まで引き伸ばす。
このとき、止水バルブ３及び開閉機構付きノズル５は、何れも閉止状態となっている。
【００５０】
次に、地上式消火栓Ａ又は地下式消火栓Ｂの消火栓弁開閉ハンドル用差し金具１０，２１にハンドル（図示省略）を嵌合し、ハンドルにより消火栓弁開閉ハンドル用受け金具１０，２１を回転操作して地上式消火栓Ａ又は地下式消火栓Ｂを全開状態にする。
この状態で通常水圧の掛からない部分、地上式消火栓Ａでは差し金具１１、本体９、直管１３へ、地下式消火栓Ｂでは弁箱１６、継足し管１８、差し金具１９へ水圧が掛かり、漏水等の点検を行う事が出来る。
【００５１】
その後、止水バルブ３及び開閉機構付きノズル５を開放操作し、ホース４等を通して水を排水場所へ排出し、消火栓弁の全開全閉を行い機能点検を行う。
【００５２】
上述した点検装置は、接続金具１に口径がサイズダウンする媒介金具や内部にリング状のオリフィスを内蔵した接続金具１を採用しているため、各消火栓Ａ，Ｂを全開して点検しても、大量の水が流れると云うことがない。
その結果、この点検装置を用いれば、上水道本管６に急激な水流が発生して飲料水を汚濁してしまうと云うこともなく、また、水の排水場所も容易に確保することができる。
【００５３】
また、点検装置は、流量調整できる接続金具１の他に、止水バルブ３や開閉機能付きノズル５を備えているため、これらを操作することによっても、放水水量を任意に調整することができ、より安心して各消火栓Ａ，Ｂを緊急時に使用する状態で点検可能となり、排水場所もより容易に確保することができる。
【００５４】
更に、点検装置は、口径が小さくて長さが５ｍの保形ホースを備えているため、折り畳み式の消防用ホースのようにホース４を全て延ばさなくても放水することができ、少ないスペースで各消火栓Ａ，Ｂの点検を行えるうえ、各消火栓Ａ，Ｂの操作者と放水者との距離が近く、お互いの意思疎通が容易になって安全に点検を行える。
【００５５】
そのうえ、点検装置は、開閉機能付きノズル５を備えているため、点検時に通行人等の第三者に危険が及ぶ場合や水損の危険性を感じた場合に放水者の意思で即時放水を停止することができ、より安全に点検を行うことができ、また、各消火栓Ａ，Ｂの点検終了後に完全に閉止できない不具合が発生しても、止水バルブ３を操作することによって完全に止水することができ、地域への悪影響が大きく軽減される。
【００５６】
加えて、点検装置は、止水バルブ３の上流側位置に圧力計２を設けているため、従来のように各消火栓Ａ，Ｂの送水締め切り圧力を測定する場合に別の圧力測定装置を使用すると云うこともなく、止水バルブ３を閉止することで各消火栓Ａ，Ｂの送水締め切り圧力を容易に測定することができる。
【符号の説明】
【００５７】
１は接続金具、１ａは胴部、１ｂは受け口、１ｃは差し口、２は圧力計、２ａは胴体、２ｂは受け口、２ｃは差し口、２ｄはメータ、３は止水バルブ、３ａはボディ、３ｂは受け口、３ｃは差し口、３ｄはハンドル、４はホース、４ａは受け口、４ｂは差し口、５は開閉機能付きノズル、５ａは差し口、６は上水道本管、７は分岐管、８はスタンドパイプ、８ａは差し金具、８ｂは受け金具、８ｃは導管、８ｄはＬ型管、９は地上式消火栓の消火栓本体、１０は消火栓弁開閉ハンドル用差し金具、１１は差し金具、１２は放水口キャップ、１３は直管、１４は弁箱、１５は乙管、１６は弁箱、１７はパッキン箱、１８は継足し管、１９は差し金具、２０は弁棒、２１は消火栓弁開閉ハンドル用差し金具、１５は乙管、Ａは地上式消火栓、Ｂは地下式消火栓。
【図１】
0003190251.tif 000003
【図２】
0003190251.tif 000004
【図３】
0003190251.tif 000005
【図４】
0003190251.tif 000006
【図５】
0003190251.tif 000007
【図６】
0003190251.tif 000008